(57)【要約】      （修正有）【課題】カメラカバーの可動蓋の開け閉めが簡単にでき、全体的に統一感があり、外観のデザインに影響を与えないカメラカバーの構造を提供する。【解決手段】主に基板、上層板、下層板で構成するカメラカバーの構造であり、カメラカバー１の底部１１にカメラカバーと同じ材質を使った上層板１１Ａと下層板１１Ｂを設け、上下層板の間に一つの硬い基板２を設置する。上層板と基板にカメラのバッテリー位置と対応するバッテリー穴１１Ａ１、２１を設ける。下層板にめくって開け閉めできる可動蓋１１Ｂ１を設ける。基板と可動蓋の対応する位置にそれぞれ磁石３と導磁性金属４を設置することで、可動蓋を閉めると、磁石が導磁性金属を吸着して可動蓋を固定する。少し力を加えると、可動蓋を開けることができる。【選択図】図２
0003195736.tif 000002
【実用新案登録請求の範囲】
【請求項１】
基板、上層板、下層板をカメラカバーの底部に設置し、
基板は一つの第一バッテリー穴と一つの磁石を設け、
上層板を該基板の上に設置し、該上層板に該第一バッテリー穴と対応する一つの第二バッテリー穴を設け、
下層板を該基板の下に設置し、該下層板に一つの可動彎曲部を設け、該可動彎曲部により、該下層板は第一バッテリー穴と第二バッテリー穴の位置と対応する部分が該下層板に相対して折り曲げてめくることができる可動蓋板を形成し、且つ該可動蓋に磁石と対応する位置に導磁性金属を設けることを特徴とするカメラカバーの構造。
【請求項２】
前記基板に一つの溝を設け、該磁石を該溝内に嵌めることを特徴とする請求項１記載のカメラカバーの構造。
【請求項３】
前記導磁性金属を該下層板の内側部分に設けることを特徴とする請求項２記載のカメラカバーの構造。
【請求項４】
前記基板、上層板及び下層板が対応する位置にそれぞれ一つの第一穴、一つの第二穴及び一つの第三穴を設けることを特徴とする請求項１記載のカメラカバーの構造。
【請求項５】
前記上層板と下層板は該カメラカバーと同じ材質であることを特徴とする請求項１記載のカメラカバーの構造。
【考案の詳細な説明】
【技術分野】
【０００１】
本考案はカメラを守るカメラカバーの構造に関し、特に便利にカメラの底に位置するバッテリーの蓋を開けることのできるカメラカバーの構造に関する。
【背景技術】
【０００２】
一般的な高級カメラは軽度の衝突を受けて損壊するのを避けるために、カメラのカバーを備え付けることが多い。一眼レフカメラの場合、該カメラカバーは通常カメラの底部に設置し、カメラカバーのサイド部分でカメラの後方と左右両サイドを囲み、前方にレンズが伸びるスペースを残す。
【０００３】
前記カメラカバーは通常革で製造し、カメラ本体との組合せ方法は、カメラカバーの底部に一つのネジを設置し、カメラを該カメラカバーに入れた後、ネジをカメラの底部にあるネジ穴に螺合して固定する。
【０００４】
電子装置とフラッシュは電力が必要であるため、カメラにはバッテリーを装備する必要がある。一般の一眼レフカメラはカメラの下方にバッテリーを設置、つまりバッテリー蓋はカメラの底部に設けている。カメラをカメラカバーに入れると、カメラカバーの底部がバッテリーカバーを塞いでしまうため、バッテリーを入れ替えるのにバッテリー蓋を開けるだけでもカメラをカメラカバーから取り出さなければならず、使用する際に比較的不便である。
【０００５】
前記のカメラカバーの使用上の不便について、各タイプのカメラの規格に基づき、カメラカバーの底部に、バッテリー蓋の位置に対応した蓋をデザインしたカメラカバーがある。該蓋を開けると、バッテリー蓋を開けることができ、バッテリー蓋を閉めると、該蓋を閉じることができる。蓋はカメラカバーに設けるボタンで留めて固定しているため、蓋が勝手に開くのを避けることができる。しかし、ボタンを暫く使用すると摩損して緩くなるほか、表面から突出したボタンが外観を損なうほか、カメラを持つ際に触り心地もよくないなどを鑑みて、更なる改善が必要であった。
【先行技術文献】
【特許文献】
【０００６】
【特許文献１】特開２０１３−２１８１３８号公報
【考案の概要】
【考案が解決しようとする課題】
【０００７】
前記公知構造の欠点を解決するために、本考案はカメラカバーの可動蓋の開け閉めが簡単にでき、全体的に統一感があり、外観のデザインに影響を与えないカメラカバーの構造を提供することを主な課題とする。
【課題を解決するための手段】
【０００８】
前記課題を解決するために、本考案はカメラカバーの構造を提供するものである。カメラカバーの底部にカメラカバーと同じ材質を使った上層板と下層板を設け、該上下層板の間に一つの硬い基板を設置する。上層板と基板にカメラのバッテリー位置と対応するバッテリー穴を設ける。下層板にめくって開け閉めできる可動蓋を設ける。基板と可動蓋の対応する位置にそれぞれ磁石と導磁性金属を設置することで、可動蓋を閉めると、該磁石が該導磁性金属を吸着して可動蓋を固定する。少し力を加えると、可動蓋を開けることができる。
【０００９】
本考案のカメラカバーの構造の技術手段に含まれるのは、カメラカバーの底部に設置する一つの基板と一つの上層板と一つの下層板である。該基板は一つの第一バッテリー穴と一つの磁石を設ける。該上層板を該基板の上に設置し、該上層板に該第一バッテリー穴と対応する一つの第二バッテリー穴を設ける。該下層板を該基板の下に設置し、該下層板に一つの可動彎曲部を設け、該可動彎曲部により、該下層板は第一バッテリー穴と第二バッテリー穴の位置と対応する部分が該下層板に相対して折り曲げてめくることができる可動蓋板を形成し、且つ該可動蓋に磁石と対応する位置に導磁性金属を設けることで、可動蓋で第一バッテリー穴を塞ぐ際、該磁石を使って導磁性金属を吸着して固定する。
【００１０】
一つの実施例において、本考案は基板に一つの溝を設置し、該磁石を該溝内に嵌める。
【００１１】
一つの実施例において、該導磁性金属を該下層板の内部に設ける。
【００１２】
一つの実施例において、該基板、該上層板及び該下層板が対応する位置にそれぞれ一つの第一穴、一つの第二穴及び一つの第三穴を設ける。
【００１３】
カメラカバーの統一感を保つために、前記の上層板と下層板は該カメラカバーと同じ材質を使用する。
【考案の効果】
【００１４】
本考案のデザインにより、カメラカバーの可動蓋の開け閉めが簡単にでき、カメラカバー全体に統一性があり、外観のデザインに影響を与えず、持つ際の手触りも良い。
【図面の簡単な説明】
【００１５】
【図１】本考案のカメラカバーとカメラを組み合わせた立体略図である。
【図２】本考案のカメラカバーの主要部品を組み合わせた立体分解略図である。
【図３】本考案のカメラカバーをカメラと組み立てた後、可動蓋を開けた使用略図である。
【図４】本考案の可動蓋を開けた後、バッテリーを取り出す使用略図である。
【図５】本考案の可動蓋を閉めた後の使用略図である。
【考案を実施するための形態】
【００１６】
以下、本考案の構造と特徴および効果を、最良実施例と図面を参照しながら詳細に説明する。
【実施例】
【００１７】
図１に示す本考案のカメラカバー１は、カメラ５と組み合わせて保護する物品である。それに一つの底部１１を具有し、底部１１の周辺から上向きに高さが一致しないサイド壁１２を延伸する。当該高さが一致しないサイド壁１２はカメラの規格の差異に基づきデザインされたものであるため、カメラカバー１をカメラ５の底部に設置した後、カメラカバー１のサイド壁１２によってカメラ本体の後方と左右両サイドを囲み、前方にはレンズが伸びるスペースを残す。
【００１８】
図２に示すように、本考案のカメラカバー１の底部１１の構造に一つの基板２、一つの上層板１１Ａと一つの下層板１１Ｂを含み、該基板２は最良実施例として硬く且つ軽量な材料(例えばアルミ合金)で一枚の適切な厚みのプレートを作り、該輪郭はカメラ５底部の輪郭形状に対応する。及び基板２の適切な位置にカメラ５の底部にあるバッテリー蓋(図に未掲示)の位置と対応する第一バッテリー穴２１を設置する。この他、該第一バッテリー穴２１に近い場所に一つの溝２３を設置し、該溝２３内に一つの磁石３を嵌める。及びカメラ５底部のネジ穴(図に未掲示)に対応する位置に第一穴２２を設置する。
【００１９】
前記上層板１１Ａの最良実施例は、カメラカバー１と同じ材質で一つのプレート本体を作り、該輪郭は基板２の輪郭形状に対応する。また、上層板１１Ａに基板２の第一バッテリー穴２１の形状及びサイズと対応する第二バッテリー穴１１Ａ１を設ける。及び基板２の第一穴２２と対応する第二穴１１Ａ２を設ける。それにより上層板１１Ａを基板２の上に重ねることができるため、第一バッテリー穴２１と第二バッテリー穴１１Ａ１が対応し、それがカメラ５底部のバッテリー蓋と対応するバッテリー穴となる。
【００２０】
下層板１１Ｂの最良実施例は、カメラカバー１と同じ材質で一つのプレート本体を作り、該輪郭は基板２及び上層板１１Ａの輪郭形状に対応する。且つ下層板１１Ｂに基板２の第一穴２２と上層板１１Ａの第二穴１１Ａ２と対応する第三穴１１Ｂ２を設ける。この他、下層板１１Ｂに一つの可動彎曲部１１Ｂ３を設け、該可動彎曲部１１Ｂ３は下層板１１Ｂの一つの位置に比較的薄い厚みの直線を形成し、該比較的薄い厚みの直線を持つ可動彎曲部１１Ｂ３により、該下層板１１Ｂは第一バッテリー穴２１と第二バッテリー穴１１Ａ１の位置と対応する部分が該下層板１１に相対して折り曲げてめくることができる可動蓋板１１Ｂ１を形成する。且つ該可動蓋１１Ｂ１のフリーエンドに近い内側部分に、該基板２の磁石３と対応する位置に導磁性のある金属４を設ける。それにより下層板１１Ｂを該基板２の下方に重ねて設けることで、第一バッテリー穴２１と第二バッテリー穴１１Ａ１が重ね、カメラ５底部のバッテリー蓋に対応するバッテリー穴を構成する。前記の第一穴２２、第二穴１１Ａ２と第三穴１１Ｂ２は重なって、カメラ底部のネジ穴(図に未掲示)に対応する穴になるため、図５に示すように、ネジ７を該複数の穴に通してカメラ５の底部にあるネジ穴に挿着する。カメラを固定する三脚の上端にあるネジも該穴に挿入してカメラ底部のネジ穴に挿着することができる。
【００２１】
つまり、本考案のカメラカバーの構造は、前記の基板２、上層板１１Ａと下層板１１Ｂでカメラカバー１の底部１１の構造を構成する。上層板１１Ａと下層板１１Ｂはカメラカバーと同じ材質であるため、統一感のあるものとなる。バッテリー６を入れる場合、可動蓋１１Ｂ１をめくるだけで、第一バッテリー穴２１と第二バッテリー穴１１Ａ１により、カメラ５底部のバッテリー蓋を開けることができ、バッテリーの出し入れをすることができる(図３及び図４を参照)。バッテリー蓋を閉めた後、再び可動蓋１１Ｂ１を蓋合すれば、磁石３が導磁性金属４に吸着する特性により、可動蓋板１１Ｂ１が固定する(図５を参照)。
【００２２】
前記の本考案のカメラカバーの構造により、カメラカバーの底部に可動蓋を設置しても、全体的に統一感があり、従来技術のような突出したボタンがないため、全体の外観デザインに影響を来たさず、カメラを持つ際の触り心地もいいほか、使用が大変便利である。
【００２３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２４】
１  カメラカバー
１１  底部
１１Ａ  上層板
１１Ａ１  第二バッテリー穴
１１Ａ２  第二穴
１１Ｂ  下層板
１１Ｂ１  可動蓋
１１Ｂ２  第三穴
１１Ｂ３  可動彎曲部
２  基板
２１  第一バッテリー穴
２２  第一穴
２３  溝
３  磁石
４  導磁性金屬
５  カメラ
６  バッテリー
７  ネジ
【図１】
0003195736.tif 000003
【図２】
0003195736.tif 000004
【図３】
0003195736.tif 000005
【図４】
0003195736.tif 000006
【図５】
0003195736.tif 000007